(57)【特許請求の範囲】
【請求項１】
前方に引き移動操作、後方に押し移動操作するグリップの上端部に振動発生部を有するヘッドが取付けられたマッサージ機において、
上記ヘッドの同じ側で、グリップの長手方向に沿って、さすり用ローラがヘッドの上端位置となり、ポイント指圧用突起部がヘッドの下部位置となって、交互若しくは同時に使用可能な間隔を隔てて並設され、上記ポイント指圧用突起部は、側面視でヘッド側を底辺とする概ね直角三角形状に形成されて、その底辺のグリップ側に設けられた直角立ち上がり部分がグリップの引き移動操作方向に引っ掛かりやすい引っ掛かり部に形成されていることを特徴とするマッサージ機。
【発明の詳細な説明】
【技術分野】
【０００１】
本発明は、振動（バイブ）するヘッドを身体に当てながらマッサージを行うハンディタイプのマッサージ機に関する。
【背景技術】
【０００２】
従来、図６に示すように、グリップ１に連結部２を介して振動発生部を有するヘッド３が取付けられたマッサージ機４では、ヘッド３の片側にさすり用ローラ５を設けるとともに、ヘッド３の他側にポイント指圧用突起部６を設けたものがある（例えば、特許文献１参照）。
【０００３】
上記マッサージ機４では、例えば肩をマッサージする場合には、ヘッド３のさすり用ローラ５を肩に当てがって、手で掴んだグリップ１を前後方向に移動操作すれば、さすり用ローラ５で肩をさすりながらマッサージすることができる。
【０００４】
また、ヘッド３を連結部２とともに１８０度で回転操作すると（矢印Ｒ参照）、ポイント指圧用突起部６を肩に当てがうことができ、このポイント指圧用突起部６で肩のポイントをマッサージすることができる。
【特許文献１】特開平９−１０８２８６号公報
【発明の開示】
【発明が解決しようとする課題】
【０００５】
しかしながら、特許文献１の技術では、さすり用ローラ５とポイント指圧用突起部６との切り替えは、ヘッド３を１８０度で回転操作しなければならないから、その操作が煩わしいという問題があった。
【０００６】
本発明は、上記問題を解消するためになされたもので、さすり用ローラとポイント指圧用突起部との切り替えを、回転操作をすることなく、瞬時に切り替えられるようにしたマッサージ機を提供することを課題とするものである。
【課題を解決するための手段】
【０００７】
上記課題を解決するために、本発明は、前方に引き移動操作、後方に押し移動操作するグリップの上端部に振動発生部を有するヘッドが取付けられたマッサージ機において、上記ヘッドの同じ側で、グリップの長手方向に沿って、さすり用ローラがヘッドの上端位置となり、ポイント指圧用突起部がヘッドの下部位置となって、交互若しくは同時に使用可能な間隔を隔てて並設され、上記ポイント指圧用突起部は、側面視でヘッド側を底辺とする概ね直角三角形状に形成されて、その底辺のグリップ側に設けられた直角立ち上がり部分がグリップの引き移動操作方向に引っ掛かりやすい引っ掛かり部に形成されていることを特徴とするものである。
【発明の効果】
【０００８】
本発明によれば、振動発生部を有するヘッドの同じ側に、さすり用ローラとポイント指圧用突起部とを、グリップの長手方向に並設したものであるから、さすり用ローラで肩等をさすりながらマッサージしている最中に、肩等のポイントをマッサージしたいような場合には、手で掴んだグリップを長手方向に操作して、さすり用ローラを肩等からずらせながら、そのポイントにポイント指圧用突起部を当てがえば、瞬時にポイントマッサージができるようになる。
【０００９】
このように、さすり用ローラとポイント指圧用突起部との切り替えを、従来のような回転操作をすることなく、グリップの長手方向の操作だけで瞬時に切り替えられるようになって、操作性が格段に向上するようになる。
【００１０】
また、従来のような切り替えのための機構が不要であるので、構造がシンプルになってコストダウンが図れるようになる。
【００１１】
さらに、ポイント指圧用突起部は、側面視でヘッド側を底辺とする概ね直角三角形状に形成されて、その底辺のグリップ側に設けられた直角立ち上がり部分がグリップの引き移動操作方向に引っ掛かりやすい引っ掛かり部に形成されているから、グリップの引き移動操作方向操作でポイント指圧用突起部の引っ掛かり部を肩等のポイントに引っ掛ければ、グリップからポイント指圧用突起部に力をよりかけやすくなるので、その肩等のポイントに、より強い指圧感が得られるようになる。
【発明を実施するための最良の形態】
【００１２】
以下、本発明を実施するための最良の形態について、図面を参照しながら詳細に説明する。
【００１３】
図１（ａ）はマッサージ機１０の側面図、同（ｂ）は断面側面図、図２はマッサージ機１０の正面図、同（ｂ）は平面図、同（ｃ）はさすり用ローラ１７の断面図である。
【００１４】
上記マッサージ機１０は、グリップ１１と連結バネ部（連結部）１２とヘッド１３とで構成されて、全体が身体の曲線に沿うように湾曲されている。
【００１５】
上記グリップ１１は、手で掴みやすいような細長い形状に形成され、上記ヘッド１３は、太短い形状に形成され、グリップ１１の上端部とヘッド１３の下端部とは、蛇腹状に形成された可撓性の連結バネ部１２で一体的に連結されている。この連結バネ部１２は、ヘッド１３を振動させやすくするとともに、ヘッド１３の振動をグリップ１１に伝わりにくくするためのものである。
【００１６】
上記ヘッド１３内には、電動モータ１５が固定され、この電動モータ１５の出力軸に偏心分銅１６が取付けられて、電動モータ１５による偏心分銅１６の偏心回転によってヘッド１３が振動されるようになる。上記電動モータ１５は、グリップ１１の湾曲内面側に設けたスイッチ１８で、切・弱・強に切り替えることができる。
【００１７】
上記ヘッド１３の湾曲内面側の上部（具体的には上端）には、図２（ａ）のように、上記グリップ１１の長手方向Ａと直交する方向Ｂを軸心方向とする左右一対のさすり用ローラ１７が設けられ、この各さすり用ローラ１７は、図２（ｃ）に詳細に示すように、ヘッド１３の正面視中央から左右方向に突出させた一対の軸部１３ａにそれぞれ回転可能に嵌合させて抜け止めしている。
【００１８】
上記ヘッド１３の湾曲内面側の下部には、側面視で山形に外方に突出するポイント指圧用突起部１９が設けられている。
【００１９】
上記さすり用ローラ１７とポイント指圧用突起部１９とは、双方ともヘッド１３の湾曲内面側（同じ側）であって、グリップ１１の長手方向Ａに一定の間隔Ｗを隔てて並設されている。言い換えれば、上記さすり用ローラ１７とポイント指圧用突起部１９とは、肩をマッサージするとすれば、その肩の曲線ラインＣ〔図１（ａ）参照〕上に並設されることになる。上記間隔Ｗは、７０〜８０ｍｍ程度が好ましく、それよりも短いと、さすり用ローラ１７だけを使用したい時でもポイント指圧用突起部１９が身体に当たるという不具合が生じやすく、それよりも長いと、後述するさすり用ローラ１７とポイント指圧用突起部１９との瞬時に切り替えが難しいという不具合が生じやすい。
【００２０】
上記ポイント指圧用突起部１９は、側面視でヘッド１３側を底辺とする概ね直角三角形状に形成されて、その直角部分（立ち上がり部分）がグリップ１１の引き移動操作方向に引っ掛かりやすい（食い込みやすい）引っ掛かり部１９ａに形成されている。なお、グリップ１１の押し移動操作方向に引っ掛かりやすい引っ掛かり部に形成することも可能である。
【００２１】
すなわち、上記ポイント指圧用突起部１９が側面視でヘッド１３側を底辺とする概ね二等辺三角形状に形成されていると〔図１（ａ）の実線ａと一点鎖線ｂとを参照〕、グリップ１１を長手方向に操作してもポイント指圧用突起部１９が肩等のポイントに引っ掛からないで、滑って逃げやすいので、グリップ１１からポイント指圧用突起部１９に力をかけにくい。これに対して、ポイント指圧用突起部１９に上記引っ掛かり部１９ａが有ると、肩等のポイントに引っ掛かるので、グリップ１１からポイント指圧用突起部１９に力をよりかけやすくなる。なお、ポイント指圧用突起部１９は、概ね直角三角形状である必要は無く、側面視で概ね四半円形状に形成されたもの等であっても良い。要するに、グリップ１１の引きまたは押し移動操作で肩等のポイントに引っ掛かりやすい形状であれば、どのような形状であっても良い。
【００２２】
上記ヘッド１３の湾曲外面側の下部には、側面視でグリップ１１の長手方向Ａに凹凸状で外方に突出する波形面部２０が形成されている。
【００２３】
上記のようにマッサージ機１０を構成すれば、図３（ａ）のように、グリップ１１を手Ｍ１で掴んで、さすり用ローラ１７で肩Ｍ２をさすりながらマッサージすることができる。この場合、ポイント指圧用突起部１９で同時に肩Ｍ２のポイントを指圧マッサージすることも可能である。
【００２４】
図３（ｂ）のように、さすり用ローラ１７で首Ｍ３をさすりながらマッサージすることができる。この場合、ポイント指圧用突起部１９で同時に首Ｍ３の指圧ポイントをマッサージすることも可能である。
【００２５】
図３（ｃ）のように、ポイント指圧用突起部１９で肩Ｍ２のポイントをマッサージすることができる。この場合、さすり用ローラ１７を肩Ｍ２から後方にずらせると、グリップ１１からポイント指圧用突起部１９に力をかけやすくなるので、その肩Ｍ２のポイントに、指圧感が得られるようになる。
【００２６】
そして、図３（ａ）のように、さすり用ローラ１７で肩Ｍ２をさすりながらマッサージしている最中に、肩Ｍ２のポイントをマッサージしたいような場合には、図３（ｃ）のように、手Ｍ１で掴んだグリップ１１を後方に押し移動操作して、さすり用ローラ１７を肩から後方にずらせながら、そのポイントにポイント指圧用突起部１９を当てがえば、瞬時にポイントマッサージができるようになる。
【００２７】
このように、さすり用ローラ１７とポイント指圧用突起部１９との切り替えを、従来のような回転操作をすることなく、グリップ１１の押し移動操作だけで瞬時に切り替えられるので、操作性が格段に向上するようになる。
【００２８】
また、グリップ１１の押し移動操作だけであるから、従来のような切り替えのための機構が不要であるので、構造がシンプルになってコストダウンが図れるようになる。
【００２９】
さらに、ポイント指圧用突起部１９には、グリップ１１を前方に引き移動操作する際に肩Ｍ２に引っ掛かりやすい引っ掛かり部１９ａを有しているから、グリップ１１の引き移動操作で引っ掛かり部１９ａを肩Ｍ２のポイントに引っ掛ければ、グリップ１１からポイント指圧用突起部１９に力をよりかけやすくなるので、その肩Ｍ２のポイントに、より強い指圧感が得られるようになる。
【００３０】
図４（ａ）のように、波形面部２０で腕Ｍ４をさすりながらマッサージすることができる。
【００３１】
図４（ｂ）のように、さすり用ローラ１７で背中Ｍ５をさすりながらマッサージすることができる。この場合、ポイント指圧用突起部１９で同時に背中Ｍ５の指圧ポイントをマッサージすることも可能である。
【００３２】
図４（ｃ）のように、さすり用ローラ１７で腰Ｍ６をさすりながらマッサージすることができる。この場合、ポイント指圧用突起部１９で同時に腰Ｍ６の指圧ポイントをマッサージすることも可能である。
【００３３】
図５（ａ）のように、波形面部２０でふくらはぎＭ７をさすりながらマッサージすることができる。
【００３４】
図５（ｂ）のように、ポイント指圧用突起部１９で足裏Ｍ８の指圧ポイントをマッサージすることも可能である。
【００３５】
上記さすり用ローラ１７は、肩Ｍ２、首Ｍ３、背中Ｍ５、腰Ｍ６など広い面積をさする感覚でマッサージするのに適し、ポイント指圧用突起部１９は、肩Ｍ２などコリが集中した部分を押さえてマッサージするのに適し、波形面部２０は、腕Ｍ４、脚Ｍ７、足裏Ｍ８など血液循環の悪い部分を、さすりながらマッサージするのに適しているが、必要に応じて適宜に選択して使用することができる。
【００３６】
上記実施形態では、マッサージ機１０全体を身体の曲線に沿うように湾曲させているから使い勝手は良いが、マッサージ機１０全体が直線状であっても良い。
【００３７】
また、上記実施形態において、グリップ１１と連結バネ部１２とヘッド１３との本体部分を、例えば黒色に着色した場合、さすり用ローラ１７とポイント指圧用突起部１９と波形面部２０とのマッサージ部分を、例えば明るい黄緑色に着色して色分けすれば、マッサージ部分が一目瞭然となるので、使い勝手がさらに良くなる。
【図面の簡単な説明】
【００３８】
【図１】本発明に係るマッサージ機であり、（ａ）は側面図、（ｂ）は断面側面図である。
【図２】図１のマッサージ機であり、（ａ）は正面図、（ｂ）は平面図、（ｃ）はさすり用ローラの断面図である。
【図３】図１のマッサージ機の使用状態であり、（ａ）は肩マッサージ時の説明図、（ｂ）は首マッサージ時の説明図、（ｃ）はポイント指圧用突起部による肩マッサージ時の説明図である。
【図４】図１のマッサージ機の使用状態であり、（ａ）は腕マッサージ時の説明図、（ｂ）は背中マッサージ時の説明図、（ｃ）は腰マッサージ時の説明図である。
【図５】図１のマッサージ機の使用状態であり、（ａ）はふくらはぎマッサージ時の説明図、（ｂ）は足裏マッサージ時の説明図である。
【図６】従来のマッサージ機の斜視図である。
【符号の説明】
【００３９】
１０    マッサージ機
１１    グリップ
１２    連結バネ部（連結部）
１３    ヘッド
１５    電動モータ（振動発生部）
１６    偏心分銅（振動発生部）
１７    さすり用ローラ
１９    ポイント指圧用突起部
１９ａ  引っ掛かり部
２０    波形面部
Ｍ１〜Ｍ８  身体の部分
【図１】
0004629343.tif 000002
【図２】
0004629343.tif 000003
【図３】
0004629343.tif 000004
【図４】
0004629343.tif 000005
【図５】
0004629343.tif 000006
【図６】
0004629343.tif 000007